(57)【要約】      （修正有）【課題】透光率を上げて輝度差を低減する線式抵抗検知電極構造を備えるタッチパネルを提供する。【解決手段】基板１０と、第一電極部材と、第二電極部材とを有する。第一電極部材は、基板１０の表面に配置され、複数の第一電極列２０を備え、第一電極列２０は、複数の直列接続している第一検知電極を含み、各第一検知電極は、複数の第一検知線から第一電極パターンを構成し、また、同一の電極列における隣り合う２つの第一検知電極は、連接線によって、その隣り合う第一検知電極の周縁近傍の第一検知線を連接し、各第一検知電極の周縁に複数の間隔線が配置される。第二電極部材３０は、第一電極部材の上側に設置され、複数の第二電極列３０を備え、第二電極列は、複数の直列接続している第二検知電極を含み、第二検知電極は、複数の第二検知線から第二電極パターンを構成する。【選択図】図１
0003193545.tif 000002
【実用新案登録請求の範囲】
【請求項１】
基板と、第一電極部材と、第二電極部材とを有し、
前記基板に表面が形成され、
前記第一電極部材は、基板の表面に配置され、複数の第一電極列を備え、該第一電極列は、複数の直列接続している第一検知電極を含み、該各第一検知電極は、複数の第一検知線から第一電極パターンを構成し、また、同一の電極列における隣り合う２つの第一検知電極は、連接線によって、その隣り合う第一検知電極の周縁近傍の第一検知線を連接し、該各第一検知電極の周縁に複数の間隔線が配置され、
前記第二電極部材は、第一電極部材の上側に設置され、複数の第二電極列を備え、該第二電極列は、複数の直列接続している第二検知電極を含み、該第二検知電極は、複数の第二検知線から第二電極パターンを構成し、また、同一の電極列における隣り合う２つの第二検知電極は、周縁の第二検知線に延出線が間隔をおいて延設され、該延出線によって互いに接続し、該各第二検知電極の周縁に複数の間隔線が配置されることを特徴とする線式抵抗検知電極構造を備えるタッチパネル。
【請求項２】
前記第一電極パターンは、第一検知線によって空心の菱形を囲み、この菱形の範囲内に、所定の角度においてそれぞれ交差するように複数の第一検知線が設置され、該菱形の範囲内の各第一検知線が周囲の第一検知線と接続することを特徴とする請求項１に記載の線式抵抗検知電極構造を備えるタッチパネル。
【請求項３】
前記第二電極パターンは、第二検知線によって空心の菱形を囲み、この菱形の範囲内に、所定の角度においてそれぞれ交差するように複数の第二検知線が設置され、該菱形の範囲内の各第二検知線が周囲の第二検知線と接続することを特徴とする請求項２に記載の線式抵抗検知電極構造を備えるタッチパネル。
【請求項４】
前記第一電極パターン及び第二電極パターンは、網目状を呈することを特徴とする請求項３に記載の線式抵抗検知電極構造を備えるタッチパネル。
【請求項５】
前記第二電極列の第二検知電極の第二検知線の端部にそれぞれ延出線が間隔をおいて延設され、該延出線は、第二検知線の周縁端部の方向に沿って延出すると共に、第一検知電極の第一検知線と接続することはないことを特徴とする請求項１乃至４のいずれか１項に記載の線式抵抗検知電極構造を備えるタッチパネル。
【請求項６】
前記第二電極列の第二検知電極の第二検知線の端部にそれぞれ延出線が間隔をおいて延設され、該延出線は、第二方向に沿って平行に配列されると共に、第一検知電極の第一検知線または連接線と接続することはないこと特徴をとする請求項１乃至４の何れか１項に記載の線式抵抗検知電極構造を備えるタッチパネル。
【請求項７】
前記第二電極列の第二検知電極の第二検知線の端部にそれぞれ延出線が間隔をおいて延設され、該延出線は、第二方向に沿って平行に配列されると共に、第一検知電極の第一検知線または連接線と接続することはないこと特徴をとする請求項５に記載の線式抵抗検知電極構造を備えるタッチパネル。
【請求項８】
一方の間隔線は、第一検知電極の周縁の第一検知線と接続し、他方の間隔線は、第二検知電極の周縁の第二検知線と接続し、その一方の間隔線及び他方の間隔線はそれぞれ、隣り合う第一検知電極及び第二検知電極の対向する側に、交替且つ交差するように配列されること特徴をとする請求項１乃至４の何れか１項に記載の線式抵抗検知電極構造を備えるタッチパネル。
【請求項９】
一方の間隔線は、第一検知電極の周縁の第一検知線と接続し、他方の間隔線は、第二検知電極の周縁の第二検知線と接続し、その一方の間隔線及び他方の間隔線はそれぞれ、隣り合う第一検知電極及び第二検知電極の対向する側に、交替且つ交差するように配列されること特徴をとする請求項５に記載の線式抵抗検知電極構造を備えるタッチパネル。
【請求項１０】
一方の間隔線は、第一検知電極の周縁の第一検知線と接続し、他方の間隔線は、第二検知電極の周縁の第二検知線と接続し、その一方の間隔線及び他方の間隔線はそれぞれ、隣り合う第一検知電極及び第二検知電極の対向する側に、交替且つ交差するように配列されること特徴をとする請求項６に記載の線式抵抗検知電極構造を備えるタッチパネル。
【考案の詳細な説明】
【技術分野】
【０００１】
本考案は、特に透光率を上げて輝度差を低減するタッチパネルに関するものである。
【背景技術】
【０００２】
既存の静電容量方式のタッチパネルは、基板に透明電極（ＩＴＯ）からなる複数の第一検知電極列及び複数の第二検知電極列を有し、それらの第一検知電極列及び第二検知電極列はそれぞれ垂直になるように設置される。また、その静電容量方式のタッチパネルにおける各第一検知電極列と各第二検知電極列との間に、絶縁層或いはブリッジを取り付けないと、その第一検知電極列と第二検知電極列とが互いに重なったり接触したりして誤検知を行うおそれがあった。
【考案の概要】
【考案が解決しようとする課題】
【０００３】
しかしながら、上述した第一検知電極列及び第二検知電極列がそれぞれ透明電極（ＩＴＯ）からなると共に、その第一検知電極列と第二検知電極列との間に絶縁層または複数のブリッジが設置されることから、タッチパネルの透光率が低下してしまう。また、そのタッチパネルを、光の３原色の赤（Ｒｅｄ）、緑（Ｇｅｅｎ）、青（Ｂｌｕｅ）または太陽光（１２００〜１５００ルーメン）の下で見れば、その第一検知電極列及び第二検知電極列に明るさが異なるという問題を有する。
【課題を解決するための手段】
【０００４】
本考案に係る線式抵抗検知電極構造を備えるタッチパネルは、
基板と、第一電極部材と、第二電極部材とを有し、
前記基板に表面が形成され、
前記第一電極部材は、基板の表面に配置され、複数の第一電極列を備え、該第一電極列は、複数の直列接続している第一検知電極を含み、該各第一検知電極は、複数の第一検知線から第一電極パターンを構成し、また、同一の電極列における隣り合う２つの第一検知電極は、連接線によって、その隣り合う第一検知電極の周縁近傍の第一検知線を連接し、該各第一検知電極の周縁に複数の間隔線が配置され、
前記第二電極部材は、第一電極部材の上側に設置され、複数の第二電極列を備え、該第二電極列は、複数の直列接続している第二検知電極を含み、該第二検知電極は、複数の第二検知線から第二電極パターンを構成し、また、同一の電極列における隣り合う２つの第二検知電極は、周縁の第二検知線に延出線が間隔をおいて延設され、該延出線によって互いに接続し、該各第二検知電極の周縁に複数の間隔線が配置されるものである。
【０００５】
かかる線式抵抗検知電極構造を備えるタッチパネルにおいて、前記第一電極パターンは、第一検知線によって空心の菱形を囲み、この菱形の範囲内に、所定の角度においてそれぞれ交差するように複数の第一検知線が設置され、該菱形の範囲内の各第一検知線が周囲の第一検知線と接続することが好ましい。
【０００６】
かかる線式抵抗検知電極構造を備えるタッチパネルにおいて、前記第二電極パターンは、第二検知線によって空心の菱形を囲み、この菱形の範囲内に、所定の角度においてそれぞれ交差するように複数の第二検知線が設置され、該菱形の範囲内の各第二検知線が周囲の第二検知線と接続することが好ましい。
【０００７】
かかる線式抵抗検知電極構造を備えるタッチパネルにおいて、前記第一電極パターン及び第二電極パターンは、網目状を呈してもよい。
【０００８】
かかる線式抵抗検知電極構造を備えるタッチパネルにおいて、前記第二電極列の第二検知電極の第二検知線の端部にそれぞれ延出線が間隔をおいて延設され、該延出線は、第二検知線の周縁端部の方向に沿って延出すると共に、第一検知電極の第一検知線と接続することはない。
【０００９】
かかる線式抵抗検知電極構造を備えるタッチパネルにおいて、前記第二電極列の第二検知電極の第二検知線の端部にそれぞれ延出線が間隔をおいて延設され、該延出線は、第二方向に沿って平行に配列されると共に、第一検知電極の第一検知線または連接線と接続することはない。
【００１０】
かかる線式抵抗検知電極構造を備えるタッチパネルにおいて、一方の間隔線は、第一検知電極の周縁の第一検知線と接続し、他方の間隔線は、第二検知電極の周縁の第二検知線と接続し、その一方の間隔線及び他方の間隔線はそれぞれ、隣り合う第一検知電極及び第二検知電極の対向する側に、交替且つ交差するように配列されることが好ましい。
【考案の効果】
【００１１】
本考案に係る線式抵抗検知電極構造を備えるタッチパネルにおける、第一検知電極及び第二検知電極はそれぞれ、複数の第一検知線及び第二検知線によって柵状または網状の電極パターンを構成する。また、その第二検知電極の周縁の第二検知線は、隣り合う第二検知電極に向かって分岐状の延出線が間隔をおいて延出し、なお、第一検知電極と第二検知電極との間に複数の間隔線が接触しないように間隔をおいて設置される。それによれば、本考案のタッチパネルの透光率を高めて光漏れを防止でき、検知電極及びブリッジの装設面積を減少して透光率を上昇させる。
【００１２】
さらに、本考案に係る線式抵抗検知電極構造における第一検知電極、第二検知電極、延出線はそれぞれ、印刷技術によって同時に基板に構成することができる。また、本考案の各電極の間に寄生容量、抵抗値（Ｒ）、容量値（Ｃ）を減少することから、既存のタッチパネルに面積全体に透明電極を設置して透光率が低下して輝度差を有するという問題を解決できる。
【図面の簡単な説明】
【００１３】
【図１】本考案に係る線式抵抗検知電極構造を備えるタッチパネルの第一実施例の平面図である。
【図２】本考案に係る線式抵抗検知電極構造を備えるタッチパネルの第一実施例の部分平面図である。
【図３】本考案に係る線式抵抗検知電極構造を備えるタッチパネルの第一実施例の部分拡大斜視図である。
【図４】本考案に係る線式抵抗検知電極構造を備えるタッチパネルの第一実施例の部分拡大分解図である。
【図５】本考案に係る線式抵抗検知電極構造を備えるタッチパネルの第二実施例の部分平面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図２に示すように、本考案に係る線式抵抗検知電極構造を備えるタッチパネルは、基板１０を有し、該基板１０の表面に第一電極部材及び第二電極部材が互いに垂直に配列され、該第一電極部材は、複数の第一電極列２０を含み、該第二電極部材は、複数の第二電極列３０を含み、それらの第一電極列２０は、第一方向（Ｘ軸）に沿って配列され、それらの第二電極列３０は、第二方向（Ｙ軸）に沿って配列され、その第一方向及び第二方向は、互いに垂直する。
【００１６】
前記第一電極列２０は、複数の第一検知電極２１を含み、該第一検知電極２１は、直列接続しており、第一方向に沿って配列され、該各第一検知電極２１は、複数の第一検知線２１１、２１１Ａから第一電極パターンを構成し、同一の電極列における隣り合う２つの第一検知電極２１は、連接線２１２によって、その隣り合う第一検知電極２１の周縁近傍の第一検知線２１１Ａを連接する。
本実施例における第一電極パターンは、菱形の網目であり、すなわち、該第一検知電極２１は、第一検知線２１１Ａによって空心の菱形を囲み、この菱形の範囲内に、所定の角度においてそれぞれ交差するように６本の第一検知線２１１が設置され、該各第一検知線２１１が周囲の第一検知線２１１Ａと接続し、第一検知電極２１から網状の第一電極パターンを構成する。
一方、その第一検知電極２１は、柵状の第一電極パターンを構成するように、それらの第一検知線２１１が平行に配列されてもよい。
【００１７】
それらの第二電極列３０は、複数の第二検知電極３１を含み、該第二検知電極３１は、直列接続しており、第二方向に沿って配列され、該各第二検知電極３１は、第二検知線３１１、３１１Ａから第二電極パターンを構成する。
図３及び図４に示すように、同一の電極列における隣り合う２つの第二検知電極３１は、第二検知線３１１Ａの端部にそれぞれ２本の延出線３１２が間隔をおいて延設される。その延出線３１２は、第二検知線３１１Ａの周縁端部の方向に沿って延出すると共に、第一検知電極２１の第一検知線２１１Ａまたは第一検知線２１１と接続することはない。その２本の延出線３１２は、図３に示すような分岐の形状を呈してもよく、他の形状にしてもよく、第二方向に沿って平行に配列されてもよい。
同一の電極列における隣り合う第二検知電極３１との間に越え線３２が設置されることによって、その隣り合う第二検知電極３１を接続する。該越え線３２は、所定の角度で連接線２１２と交差しながら上側に超えるように取り付けられ、連接線２１２と越え線３２との間に絶縁シート３３が挟設される。該絶縁シート３３は、方形のシートであってもよく、長形のシートであってもよい。
【００１８】
本実施例において、その第二電極パターンは、菱形の網目であり、すなわち、該第二検知電極３１は、第二検知線３１１Ａによって空心の菱形を囲み、この菱形の範囲内に、所定の角度においてそれぞれ交差するように６本の第二検知線３１１が設置され、また、該各第二検知線３１１が周囲の第二検知線３１１Ａと接続し、網状の第二検知電極３１を構成する。
一方、その第二検知電極３１は、柵状の第二電極パターンを構成するように、それらの第二検知線３１１が平行に配列されてもよい。
【００１９】
各第一検知電極２１と各第二検知電極３１との間に複数の間隔線４０が配置され、それらの間隔線４０は、第一検知電極２１の周縁の第一検知線２１１Ａと第二検知電極３１の周縁の第二検知線３１１Ａとの間に、所定の角度を維持しながら、検知線と接触しないように配置される。それによれば、タッチパネルにおける検知電極の感度を高める。
【００２０】
図５に示すように、本考案に係る第二実施例は、殆ど第一実施例と同一であるが、第一検知電極２１及び第二検知電極３１の周囲に複数の間隔線４０Ａ、４０Ｂを備える点において異なる。本実施例において、それらの間隔線４０Ａは、第一検知電極２１の周縁の第一検知線２１１Ａと接続し、それらの間隔線４０Ｂは、第二検知電極３１の周縁の第二検知線３１１Ａと接続し、なお、隣り合う第一検知電極２１及び第二検知電極３１の対向する側における間隔線４０Ａ及び間隔線４０Ｂはそれぞれ、交替且つ交差するように配列される。
【００２１】
上述したように、本考案における第一検知電極２１及び第二検知電極３１はそれぞれ、複数の第一検知線２１１Ａ及び第二検知線３１１Ａから囲まれ、網状の電極パターンを構成する。また、第二検知電極３１の周縁の第二検知線３１１Ａは、隣り合う第二検知電極３１に向かって２本の分岐状の延出線３１２が間隔をおいて延出する。さらに、絶縁シート３３及び越え線３２を備えることから、隣り合う第二検知電極３１を接続することができる。なお、第一検知電極２１と第二検知電極３１との間の間隔線４０あるいは間隔線４０Ａ、４０Ｂが接触しないように間隔をおいて設置される。それによれば、本考案に係る線式抵抗検知電極構造を備えるタッチパネルは、透光率を高めて光漏れを防止でき、検知電極及びブリッジの装設面積を減少して透光率を上昇させる。
【００２２】
さらに、本考案に係る線式抵抗検知電極構造における第一検知電極２１、第二検知電極３１、延出線３１２はそれぞれ、印刷技術によって同時に基板１０に構成することができる。また、本考案の各電極の間に寄生容量、抵抗値（Ｒ）、容量値（Ｃ）を減少することから、既存のタッチパネルに面積全体に透明電極を設置して透光率が低下して輝度差を有するという問題を解決できる。
【符号の説明】
【００２３】
１０  基板
２０  第一電極列
２１  第一検知電極
２１１、２１１Ａ  第一検知線
２１２  連接線
３０  第二電極列
３１  第二検知電極
３１１、３１１Ａ  第二検知線
３１２  延出線
３２  越え線
３３  絶縁シート
４０、４０Ａ、４０Ｂ  間隔線
【図２】
0003193545.tif 000003
【図３】
0003193545.tif 000004
【図４】
0003193545.tif 000005
【図５】
0003193545.tif 000006
【図１】
0003193545.tif 000007